(57)【要約】      （修正有）【課題】エアコン室外機の頂板面と間隙形成部材の間で容易に剥離を起こさせることができるようにしたエアコン室外機用断熱ボードを提供する。【解決手段】エアコン室外機用断熱ボードは、発泡樹脂ボード１の少なくとも片面に光線反射層を形成し、かつ、エアコン室外機４の頂板面に位置する側に頂板面と発泡樹脂ボード１下面との間に空気の流通を可能にする隙間を形成するための間隙形成部材２を、間隙形成部材２の上下面に形成した接着層３１、３２を介して、発泡樹脂ボード１の下面及びエアコン室外機４の頂板面に接着して配設するようにし、間隙形成部材２の下面の長手方向の少なくとも一端側に接着層を形成しない非接着部３３を設ける。【選択図】図１
0003232068.tif 000002
【実用新案登録請求の範囲】
【請求項１】
発泡樹脂ボードの少なくとも片面に光線反射層を形成し、かつ、エアコン室外機の頂板面に位置する側に該頂板面と発泡樹脂ボード下面との間に空気の流通を可能にする隙間を形成するための間隙形成部材を、該間隙形成部材の上下面に形成した接着層を介して、発泡樹脂ボードの下面及びエアコン室外機の頂板面に接着して配設するようにしたエアコン室外機用断熱ボードにおいて、前記間隙形成部材の下面の長手方向の少なくとも一端側に接着層を形成しない非接着部を設けるようにしたことを特徴とするエアコン室外機用断熱ボード。
【請求項２】
前記間隙形成部材の長手方向の寸法が、エアコン室外機の奥行き方向の寸法より小さく形成されてなることを特徴とする請求項１記載のエアコン室外機用断熱ボード。
【考案の詳細な説明】
【技術分野】
【０００１】
本考案は、エアコン室外機用断熱ボードに関し、特に、太陽からの直射日光を遮り、エアコン室外機からの熱放出を効率的に行えるように室外機頂板面とエアコン室外機用断熱ボード間に空気の流通を可能とする隙間を形成し、エアコン室外機頂板面からも熱を放出させることを可能にしたエアコン室外機用断熱ボードに関するものである。
【背景技術】
【０００２】
従来、エアコン室外機には、エアコン室外機を雨露から保護するとともに、太陽からの強い直射日光を遮蔽してエアコン室外機の温度上昇を防ぐため、雨除け用の屋根或いはシェードを取り付けるようにすることがある。
このエアコン室外機用屋根としては室外機形状に合わせて室外機外に枠を別設し、該枠に合成樹脂製の波板等の屋根板を取り付けるように構成している。このため、エアコン室外機の大きさ、形状に合わせて形成することができる利点がある。
【０００３】
ところで、従来のエアコン室外機用屋根は、枠と屋根板とより構成するので必然的にその構成が複雑となり、高価となり、その取り付けが困難になるという問題があった。
また、太陽の直射日光、特に真夏の強力な直射日光を遮蔽するため、特許文献１に開示されているようなエアコン室外機用シェードが提案されている。このエアコン室外機用シェードは発泡樹脂ボードとこの発泡樹脂ボードの一面に積層された金属膜を含む反射板とからなり、これをエアコン室外機頂板面上に直接接触するようにして配設し、該エアコン室外機用シェードをエアコン室外機に平ベルトにて結んで固定するように構成しているので、強い直射光線も遮ることができる。また、その構成も屋根式に比べ簡単となり、かつエアコン室外機に簡易に取り付けられる利点がある。
【０００４】
しかし、このエアコン室外機用シェードはエアコン室外機の頂板面上に沿って直接接触しているため、強い太陽の直射光線は遮ることができても、エアコン室外機頂板面が該エアコン室外機用シェードにて保温されるようになり、エアコン室外機本体内で産出される熱はこのエアコン室外機用シェードにて遮られて室外機の頂板面上からの放熱が妨げられるので放熱作用が低下するという問題があった。
また、エアコン室外機が昇温すると、特に夏場の冷房運転時には冷媒冷却効率が低下して、冷房能力の低下を招き、これにより電力を無駄に消費するという問題があった。
【０００５】
この問題に対処するために、本件出願人は、先に、太陽からの直射日光を遮り、エアコン室外機からの熱放出を効率的に行えるように室外機頂板面とエアコン室外機用断熱ボード間に空気の流通を可能とする隙間を形成し、エアコン室外機頂板面からも熱を放出させることを可能にしたエアコン室外機用断熱ボードを提案した（特許文献２参照。）。
このエアコン室外機用断熱ボードは、図３に示すように、エアコン室外機４の天面側を直射日光を遮るようにした十分な大きさを有する発泡樹脂ボード１を主体とし、発泡樹脂ボード１の片面に直射日光を反射するようにした光線反射層１１を一体に形成し、発泡樹脂ボード１の下面に２個以上（本例においては、３個。）の間隙形成部材２を並設することで空気流通路を構成する隙間Ｃを形成して構成している。そして、発泡樹脂ボード１の間隙形成部材２を設けた箇所に締結具３を挿通する挿通孔Ｈを穿設してエアコン室外機４に締結具３を掛け渡して固定するようにしている。
【先行技術文献】
【特許文献】
【０００６】
【特許文献１】実用新案登録第３１４１４０３号公報
【特許文献２】実用新案登録第３１７９４４８号公報
【考案の概要】
【考案が解決しようとする課題】
【０００７】
ところで、特許文献２に開示したエアコン室外機用断熱ボードにおいて、例えば、図４に示すように、間隙形成部材２を、間隙形成部材２の上下面に形成した接着層３１、３２を介して、発泡樹脂ボード１の下面及びエアコン室外機４の頂板面に接着して配設するようにした場合、例えば、オフシーズンにエアコン室外機用断熱ボードを撤去しようとすると、発泡樹脂ボード１と間隙形成部材２の間で剥離が起こり、エアコン室外機４の頂板面側に間隙形成部材２が残置されたり、エアコン室外機４の頂板面と間隙形成部材２の間で剥離させるのに手数を要する問題があった。
【０００８】
本考案は、上記問題点に鑑み、エアコン室外機の頂板面と間隙形成部材の間で容易に剥離を起こさせることができるようにしたエアコン室外機用断熱ボードを提供することを目的とする。
【課題を解決するための手段】
【０００９】
上記目的を達成するため、本考案のエアコン室外機用断熱ボードは、発泡樹脂ボードの少なくとも片面に光線反射層を形成し、かつ、エアコン室外機の頂板面に位置する側に該頂板面と発泡樹脂ボード下面との間に空気の流通を可能にする隙間を形成するための間隙形成部材を、該間隙形成部材の上下面に形成した接着層を介して、発泡樹脂ボードの下面及びエアコン室外機の頂板面に接着して配設するようにしたエアコン室外機用断熱ボードにおいて、前記間隙形成部材の下面の長手方向の少なくとも一端側に接着層を形成しない非接着部を設けるようにしたことを特徴とする。
【００１０】
この場合において、前記間隙形成部材の長手方向の寸法が、エアコン室外機の奥行き方向の寸法より小さく形成されてなるようにすることができる。
【考案の効果】
【００１１】
本考案のエアコン室外機用断熱ボードによれば、間隙形成部材の下面の長手方向の少なくとも一端側に接着層を形成しない非接着部を設けるようにすることにより、エアコン室外機の頂板面と間隙形成部材の間で容易に剥離を起こさせることができ、エアコン室外機の頂板面側に間隙形成部材が残置されたり、エアコン室外機の頂板面と間隙形成部材の間で剥離させるのに手数を要する問題を解消することができる。
【００１２】
また、前記間隙形成部材の長手方向の寸法が、エアコン室外機の奥行き方向の寸法より小さく形成されてなるようにすることにより、より確実に、エアコン室外機の頂板面と間隙形成部材の間で剥離を起こさせることができる。
【図面の簡単な説明】
【００１３】
【図１】本考案のエアコン室外機用断熱ボードの一実施例を示す説明図である。
【図２】同エアコン室外機用断熱ボードを示し、（ａ）は下方から見た斜視図、（ｂ）は底面図である。
【図３】従来のエアコン室外機用断熱ボードの例を示す説明図である。
【図４】従来のエアコン室外機用断熱ボードの例を示す説明図である。
【考案を実施するための形態】
【００１４】
以下、本考案のエアコン室外機用断熱ボードの実施の形態を、図面に基づいて説明する。
【００１５】
図１〜図２に、本考案のエアコン室外機用断熱ボードの一実施例を示す。
このエアコン室外機用断熱ボードは、発泡樹脂ボード１の少なくとも片面に光線反射層を形成し、かつ、エアコン室外機４の頂板面に位置する側に頂板面と発泡樹脂ボード１下面との間に空気の流通を可能にする隙間Ｃを形成するための間隙形成部材２を、間隙形成部材２の上下面に形成した接着層３１、３２を介して、発泡樹脂ボード１の下面及びエアコン室外機４の頂板面に接着して配設するようにし、間隙形成部材２の下面の長手方向の少なくとも一端側（本実施例においては、両端側）に接着層を形成しない非接着部３３を設けるようにしている。
【００１６】
この場合において、間隙形成部材２の長手方向の寸法Ｌ２が、エアコン室外機の奥行き方向の寸法Ｌ４より小さく形成されてなるようにすることが好ましい。
【００１７】
接着層３１、３２を構成する接着剤（本明細書において、粘着剤を含む。）には、ユリア系、メラミン系、フェノール系、レゾルシノール系、イソシアネート系、酢酸ビニール系、クロロプレン系、エポキシ系、ウレタン系、変性シリコン系、ホットメルト系接着剤等の従来汎用されている接着剤やアクリル系、ウレタン系、ゴム系、シリコン系、ホットメルト系粘着剤等の従来汎用されている任意の粘着剤を用いることができる。
また、接着層３１、３２には、両面接着テープ（本明細書において、両面粘着テープを含む。）を用いることができる。
さらに、接着層３２の表面には、製造時に離型紙又は離型フィルム（図示省略）を設け、使用者がエアコン室外機用断熱ボードを使用する際に、離型紙又は離型フィルムを剥離して、エアコン室外機４の頂板面に接着するようにすることができる。
【００１８】
この場合において、接着層３１、３２を構成する接着剤は、同じ特性を有するものを用いることができるが、本実施例においては、「接着層３１の接着力（粘着力）＞接着層３２の接着力（粘着力）」のもの、具体的には、接着層３１には、接着剤又は強粘着剤を、接着層３２には、接着層３１より接着力（粘着力）が小さい、再剥離粘着剤を、それぞれ好適に用いることができる。
【００１９】
また、本実施例のエアコン室外機用断熱ボードは、発泡樹脂ボード１の下面に配設する幅方向に２個の間隙形成部材２を並設するとともに、その間に、エアコン室外機４の奥行き方向の寸法と同じ寸法の接着層を形成しない間隙形成部材２を、間隙形成部材２の上面に形成した接着層３１を介して、発泡樹脂ボード１の下面に接着して配設するようにしている。
【００２０】
このエアコン室外機用断熱ボードによれば、間隙形成部材２の下面の長手方向の少なくとも一端側（本実施例においては、両端側）に接着層を形成しない非接着部３３を設けるようにすることにより、エアコン室外機４の頂板面と間隙形成部材２の間で容易に剥離を起こさせることができ、エアコン室外機４の頂板面側に間隙形成部材２が残置されたり、エアコン室外機４の頂板面と間隙形成部材２の間で剥離させるのに手数を要する問題を解消することができる。
【００２１】
また、間隙形成部材２の長手方向の寸法Ｌ２が、エアコン室外機４の奥行き方向の寸法Ｌ４より小さく形成されてなるようにすることにより、より確実に、エアコン室外機４の頂板面と間隙形成部材２の間で剥離を起こさせることができる。
【００２２】
以上、本考案のエアコン室外機用断熱ボードについて、その実施例に基づいて説明したが、本考案は上記実施例に記載した構成に限定されるものではなく、その趣旨を逸脱しない範囲において適宜その構成を変更することができるものである。
【産業上の利用可能性】
【００２３】
本考案のエアコン室外機用断熱ボードは、エアコン室外機の頂板面と間隙形成部材の間で容易に剥離を起こさせることができることから、例えば、オフシーズンに撤去するエアコン室外機用断熱ボードの用途に好適に用いることができる。
【符号の説明】
【００２４】
１  発泡樹脂ボード
２  間隙形成部材
３１  接着層
３２  接着層
３３  非接着部
４  エアコン室外機
Ｃ  隙間
Ｌ２  間隙形成部材の長手方向の寸法
Ｌ４  エアコン室外機の奥行き方向の寸法
【図１】
0003232068.tif 000003
【図２】
0003232068.tif 000004
【図３】
0003232068.tif 000005
【図４】
0003232068.tif 000006